(57)【特許請求の範囲】
【請求項１】
それぞれ異なる波長の光信号を出力する複数の光送信器と、これら複数の光送信器から出力される光信号を波長多重する波長多重部とを備え、波長多重光を光伝送路に送出する光送信装置と、
前記光伝送路に設けられ、それぞれ前記波長多重光を利得飽和状態で増幅出力する光増幅器を備える複数の光中継器と、
前記光伝送路を介して到来した前記波長多重光を波長毎に分離する波長分離部と、この波長分離部から出力される分離後の複数の光信号それぞれを利得飽和状態に設定された複数の光増幅器で順次増幅して所定のパワーで出力する複数の利得変動補償部と、前記複数の利得変動補償部から出力される複数の光信号からそれぞれ受信情報を再生する複数の光受信器とを備える光受信装置とを具備するようにしたことを特徴とする波長多重光伝送システム。
【請求項２】
前記光送信装置は、前記複数の光送信器に与えられる送信情報に、誤り訂正情報を付加する複数の誤り訂正符号化手段をさらに備え、
前記光受信装置は、前記光受信器にて再生された受信情報を、前記誤り訂正情報をもとに復号する複数の誤り訂正復号手段をさらに備えることを特徴とする請求項１に記載の波長多重光伝送システム。
【請求項３】
互いに波長の異なる複数の光信号が多重され、光伝送路にて利得飽和状態の複数の光増幅器で繰り返し増幅されて中継伝送される波長多重光を受信する光受信装置において、
前記光伝送路を介して到来した波長多重光を波長毎に分離する波長分離部と、
この波長分離部から出力される分離後の複数の光信号それぞれを利得飽和状態に設定された複数の光増幅器で順次増幅して所定のパワーで出力する複数の利得変動補償部と、
前記複数の利得変動補償部から出力される複数の光信号からそれぞれ受信情報を再生する複数の光受信器とを具備するようにしたことを特徴とする光受信装置。
【請求項４】
それぞれ異なる波長の光信号を出力する複数の光送信器と、これら複数の光送信器から出力される光信号を波長多重する波長多重部とを備え、波長多重光を光伝送路に送出する光送信装置と、前記光伝送路に設けられ、それぞれ前記波長多重光を利得飽和状態で増幅出力する光増幅器を備える複数の光中継器とを具備する波長多重光伝送システムに使用される光受信装置であって、
前記光伝送路を介して到来した前記波長多重光を波長毎に分離する波長分離部と、
この波長分離部から出力される分離後の複数の光信号それぞれを利得飽和状態に設定された複数の光増幅器で順次増幅して所定のパワーで出力する複数の利得変動補償部と、
前記複数の利得変動補償部から出力される複数の光信号からそれぞれ受信情報を再生する複数の光受信器と、
前記複数の光受信器にて再生された受信情報を、それぞれ前記誤り訂正情報をもとに復号する複数の誤り訂正復号手段とを具備するようにしたことを特徴とする光受信装置。
【請求項５】
それぞれ互いに波長の異なる複数の光信号が多重された波長多重光を伝送する複数の光伝送路を光結合器で光結合して単一の光伝送路で中継伝送する際に、前記光結合前の複数の光伝送路及び前記光結合後の単一の光伝送路でそれぞれ波長多重光を利得飽和状態の複数の光増幅器で繰り返し増幅して伝送する波長多重光伝送システムに使用される光受信装置であって、
前記単一の光伝送路を介して到来した波長多重光を波長毎に分離する波長分離部と、
この波長分離部から出力される分離後の複数の光信号それぞれを利得飽和状態に設定された複数の光増幅器で順次増幅して所定のパワーで出力する複数の利得変動補償部と、
前記複数の利得変動補償部から出力される複数の光信号からそれぞれ受信情報を再生する複数の光受信器とを具備するようにしたことを特徴とする光受信装置。
【発明の詳細な説明】
【０００１】
【発明の属する技術分野】
本発明は、波長多重光伝送システムと、このシステムに用いられる光受信装置、光増幅器および光波長多重送信装置に関する。
【０００２】
【従来の技術】
近年の通信システムの発展に伴い、伝送系の大容量化が強く要望されている。このような事情から、波長多重光伝送システムが注目を浴びており、いま盛んに研究されている。
【０００３】
波長多重光伝送システムでは、波長の異なる複数の光信号を多重化し、同一の伝送路を介して伝送する。この特徴のため、従来の単波長の光通信システムよりも伝送容量を大きくできる利点を備えているが、同時にいくつかの問題点もある。そのうち、本発明者らによって指摘されたものを以下に述べる。
【０００４】
（１）  波長多重光伝送システムでは、長距離の通信を実現するために、複数の中継器が用いられる。中継器においては、波長の異なる複数の光信号を一括して増幅できる光増幅器が使用される。なお、文中における“光増幅器”とは、例えばＥＤＦＡ（エルビウムドープ光ファイバ増幅器）などのように、光信号を電気信号に変換すること無く光信号のまま増幅することが可能な増幅器を意味する。
【０００５】
ところで、このような光増幅器は、特に中継器に備えて使用される場合、利得飽和状態（入力信号パワーの増加と共に、利得が低下する状態）で使用されることが多い。これは、複数の中継器のうちいずれかにおいて、劣化または故障などのため光増幅器の利得が低下した場合に、後段の光増幅器にて利得の劣化を補償するためである。
【０００６】
ところが、利得飽和状態の光増幅器を複数個接続した場合、光増幅器内を伝搬する信号のチャネル数が変化した際に、各チャネルの信号パワーが急速に変動するという現象が生じる。このことを、以下に詳しく説明する。
【０００７】
図８に、従来の波長多重光伝送システムの構成を示す。図８において、波長多重送信装置１における複数の光送信器Ｔ１〜Ｔｎから送出される、それぞれ波長の異なる光信号λ１〜λｎが波長多重部２において結合され、中継伝送路部３を介して波長多重受信装置４に送信される。この波長多重光は、波長分離部５において各光信号λ１〜λｎに分離され、光受信器Ｒ１〜Ｒｎでそれぞれ受信されてデータ＃１〜＃ｎおよびクロック＃１〜＃ｎが再生される。
【０００８】
波長多重部２は、図９に示すように各光信号λ１〜λｎを光合波器にて結合したのち光増幅器で増幅して伝送路に送出する。また波長分離部５は、図１０に示すように、到来した波長多重信号を光増幅器で増幅したのち、光分岐器にてｎチャネル分の光信号に分岐し、それぞれλ１〜λｎの波長の光フィルタＦ１〜Ｆｎを介することでλ１〜λｎの波長の光信号を分岐出力するようになっている。
【０００９】
さて、図８の中継伝送路部３はそれぞれ光増幅器を備える光線形中継器Ａ１〜Ａｋを備えており、各光増幅器は利得飽和状態である。このとき、伝送チャネル数が変化したときの信号パワーの変動について、図１１を参照して説明する。図１１（ａ）は、中継伝送路部３の前段に位置する光中継器内の光増幅器、図１１（ｂ）は後段の光増幅器の挙動を示す図である。簡単のため、以下の説明ではそれぞれ送信出力パワーの等しい光信号（波長λ１、λ２）を多重化するものとし（ｎ＝２）、また光増幅器の利得の波長依存性は無いものとする。
【００１０】
図１１（ａ）において、波長λ２の信号が落ちると、前段の光増幅器に入力される信号パワーはＰａ（λ１）＋Ｐａ（λ２）からＰａ（λ１）に下がるが、利得はＧａ１からＧａ２に上がる。これにより、残った波長λ１の光信号の出力パワーは増大することになる。また、波長λ２の光信号が復旧すると、利得が元のＧａ１に戻り、波長λ１の光信号の出力パワーが減少する（元に戻る）ことになる。
【００１１】
ここで重要なことは、利得が自動的に変化することにより、前段の光増幅器から出力される光信号パワー（の総和）は変化しないことである。これにより、後段の光増幅器においては、チャネル数の増減に拘わらず、同じ強度の光信号が入力されることになる。このようにして、最終的に波長多重受信装置４に入力される光信号パワーは一定に保たれる。
【００１２】
ところが、チャネル数の減少／増加に応じて、光受信器に入力される各チャネルの信号パワーは、増大／低下することになる。また、このパワー変動の速度は、光信号が通過する光増幅器の段数が増えるほどに、速くなって行く。このチャネル数変化時の信号パワー変化の速度について報告した文献としては、J.L.Zsykind らによる“Fast Power Transients in Optically Amplified Multiwavelength Optical Networks ”,Optical Fiber Communication Conference,vol.2,PD-31(1996) がある。本文献では、出力光パワー変化の速度は、光増幅器が１台の場合は数１０〜１００μｓｅｃであるが、光増幅器の台数の増加に連れて速くなることが示されている。
【００１３】
以上をまとめると、波長多重光伝送システムでは、ある波長の光信号が消失したり追加するなどして、波長多重光の光信号のチャネル数が変化すると、各波長の光信号のパワーが光増幅器の台数に依存する速度で変動するという現象が生じる。
【００１４】
普通、光受信器は、所定の受信パワー範囲に渡って受信機能が正常に動作するように、ＡＧＣ（Automatic Gain Control：自動利得調整）機能を備えている。しかしながら、受信パワーが、ＡＧＣが追従できないほど急速に変動する場合には、受信誤り（バーストエラー）などの伝送品質の劣化を生じてしまう可能性がある。
【００１５】
（２）  光波長多重システムでは、波長多重器２におけるブースターアンプとしても、光増幅器が用いられる。このような使用に供される光増幅器の一例を、図１２に示す。すなわちこの光増幅器は、光アイソレータ１２を介して入力された光信号を、合波器１３、増幅用ファイバ１４を介して光アイソレータ１５から出力する。このとき、励起用ＬＤ（半導体レーザ）１６において発生された励起光を合波器１３に入射することで、光信号の増幅を行うものである。ここで、励起用ＬＤ１６の動作制御は、制御回路１７により行われる。
【００１６】
ところで、図８の構成において、故障などの原因によっていずれかの光送信器を交換しなければならない場合がある。交換ののち起動された光送信器が安定し、一定の波長の光信号を出力するようになるまでには、ある程度の時間がかかる。ところが、この安定状態に至るまでの間に、この光送信器の出力光が他の光送信器の出力光に干渉し、クロストークを劣化させてしまう場合がある。このことを、図１３を参照して詳しく説明する。
【００１７】
いま仮に、光送信器Ｔｎが交換され、起動されたとする。光送信器は、一般にレーザ発振するチップの温度を制御することで所望の波長の出力光を得るようになっている。このため光送信器Ｔｎの立ち上げ直後には、室温に対応する波長（λ０）の光信号が出力されている。この状態から光送信器Ｔｎが温まるにつれ、出力波長が安定点にシフトし、最終的に波長λｎに落ち着く。
【００１８】
ところが、このときλｎよりも長い波長で安定に動作している光送信器Ｔｍがあったとすると、この光送信器の出力光波長λｍを、光送信器Ｔｎの出力光波長が横切ることになる。したがって、光送信器Ｔｎ、Ｔｍの出力光同士が干渉し、クロストークが劣化することになる。勿論、このことは、室温よりも低い温度に対応する波長域においても同様に生じる。
【００１９】
この波長シフトによるクロストーク劣化の影響を防ぐために、従来は、交換された光送信器が立ち上がり安定点に落ち着くまでの間は光増幅器の出力を断にし、安定後に出力をオンにするようにしていた。ところが、このような方法を実現するために光増幅器に出力断回路１８を設けなくてはならず、コストの増加を招いていた。さらに、ユニット交換作業者が交換後の光送信器の出力をモニタし、光増幅器のオン／オフ作業を行わなくてはならないので、手間が余計にかかっていた。
【００２０】
【発明が解決しようとする課題】
上記したように従来の波長多重光伝送システムには、光中継器を介して伝搬する光信号のチャネル数が変化した際、各チャネルの光信号のパワーが急速に変動するために、符号誤りなどの伝送品質の劣化を生じ易いという不具合があった。
【００２１】
また、光送信器は、安定動作状態に至るまでに波長シフトを生じる。従来の光波長多重送信装置では、この波長シフトによる伝送品質の劣化を防ぐために、交換された光送信器の出力をモニタし、光増幅器をオン／オフする必要があった。このため、作業者の負担が大きく、またコストの増加を招いていた。
【００２２】
本発明は以上の事情によりなされたもので、その第１の目的は、伝搬する光信号のチャネル数が変化しても、伝送品質の劣化を生じない波長多重光伝送システムおよび光受信装置を提供することにある。
【００２３】
また本発明の第２の目的は、光送信器の波長シフトによる伝送品質の劣化を、手間やコストをかけずに抑圧できるようにした光増幅器および光波長多重送信装置を提供することにある。
【００２４】
【課題を解決するための手段】
上記第１の目的を達成するために第１の本発明は、それぞれ異なる波長の光信号を出力する複数の光送信器と、これらの光送信器から出力される光信号を波長多重する波長多重部とを備え、波長多重光を光伝送路に送出する光送信装置と、
前記光伝送路を介して到来した前記波長多重光を分離する波長分離部と、この波長分離部から出力される分離後の光信号からそれぞれ受信情報を再生する複数の光受信器とを備える光受信装置とを具備する波長多重光伝送システムにあって、
前記分離後の光信号のそれぞれを、利得飽和状態に設定された１以上の光増幅器を介して前記複数の光受信装置の各々に入力するようにしたことを特徴とする。
【００２５】
このような手段を講じることで、光送信装置から光伝送路を介して光受信装置に到来した波長多重光は、波長分離部で各チャネルの波長の光信号に分離される。これらの各波長の光信号は、１つ、または縦列に接続された複数の光増幅器をそれぞれ介した上で、それぞれのチャネルの光受信器に入力され、受信情報が再生される。
【００２６】
ここで、光増幅器は利得飽和状態に設定されている。このため、分離された各波長の光信号のパワーの大小に応じて光増幅器の利得が減少または増大し、この結果、各波長の光信号のパワー変動が抑圧される。したがって、光信号の落ち／復旧などにより伝送チャネル数が変化しても、光受信器には常に一定レベルの光信号が入力されることになるので、伝送品質の劣化を抑圧することが可能となる。
【００２７】
さらに、従来の技術の頁で説明したように、通過する光増幅器の数が増えるほどに光信号のパワーの変化速度は速くなる。このことを利用して、光受信装置内の光増幅器の段数を増やすことで、伝送途中で各波長の光信号パワーが急速に変動しても、これに追従することが可能となる。
【００２８】
すなわち従来では、光伝送路途中に設けた光増幅器を利得飽和状態に設定することにより、チャネル数変化時の各光信号のパワーの変動が引き起こされていた。そこで本発明では、波長分離部の後段に利得飽和状態の光増幅器を新たに設けることで、分離後の単一波長の光信号のパワーを一定にするようにしている。
【００２９】
また第１の発明では、光送信装置に、例えばリード・ソロモン符号などを利用した誤り訂正符号化手段を、光受信装置に誤り訂正復号手段を設けている。これにより、上記光増幅器による伝送品質劣化の抑圧効果を補償することが可能となると共に、光受信器の性能に応じて光増幅器の数を削減できるので、システムをより低コストで提供できるようになる。
【００３０】
また上記第２の目的を達成するために第２の発明は、それぞれ異なる波長の光信号を出力する複数の光送信器と、これらの光送信器にそれぞれ接続され、各々接続された光送信器からの出力光をそれぞれ増幅する複数の光増幅器と、これらの光増幅器を通過後の光信号を波長多重する波長多重部とを具備し、
前記複数の光増幅器の各々に、
それぞれ接続された光送信器の安定出力波長に対応する波長の光信号のみを透過させる光帯域フィルタを具備することを特徴とする。
【００３１】
より具体的には、
前記複数の光増幅器の各々に、
励起光を発生出力する光源と、前記励起光と入力光信号とが入射される増幅用光ファイバと、前記光源と前記増幅用光ファイバとの間に設けられ前記励起光を透過させて前記増幅用光ファイバに入射すると共に前記増幅用光ファイバ内に入射された前記入力光信号のうち特定波長の光信号を反射する反射型フィルタと、第１、第２および第３のポートを有し、前記第１のポートから入力される前記光送信器からの光信号を前記第２のポートから前記増幅用光ファイバに入射すると共に前記反射型フィルタにて反射された入力光信号を前記第２のポートから前記第３のポートを介して前記波長多重部に出力する光サーキュレータとを具備し、前記反射型フィルタの反射波長を、それぞれ接続された光送信器の安定出力波長に対応づけて設定したことを特徴とする。
【００３２】
このような構成とすることで、光増幅器では、特定波長の光信号のみが増幅され、光サーキュレータの第３のポートから出力される。また光波長多重送信装置では、各光送信器の出力が上記光増幅器を介した上で多重される。前記反射型フィルタの反射波長は、それぞれ接続された光送信器の安定出力波長に対応づけて設定されているので、波長多重部には、安定後の光送信器の出力のみが入力されることになる。
したがって、異なる光送信器の出力同士が干渉する虞が無くなるので、クロストークの劣化を防止することが可能となる。
【００３３】
【発明の実施の形態】
以下、図面を参照して本発明の実施の形態を詳細に説明する。
（第１の実施の形態）
図１に、本発明の第１の実施形態に係わる波長多重光伝送システムの構成を示す。なお、図１において図８と同一の部分には同一の符号を付して示し、ここでは異なる部分についてのみ説明する。
【００３４】
すなわち本実施形態の波長多重受信装置６は、波長分離部５において分離後の波長λ１〜λｎの各光信号を、それぞれ補償用光増幅器７１〜７ｎを介した上で光受信器Ｒ１〜Ｒｎに入力するものとなっている。ここで、それぞれの補償用光増幅器７１〜７ｎは、縦列に接続された１以上（各々個数を同じにする必要はない）の光増幅器を備えており、しかもこれらの光増幅器は、いずれも利得飽和状態に設定されている。
【００３５】
このように構成した場合の補償用光増幅器７１〜７ｎの作用を、以下に説明する。すなわち、各補償用光増幅器７１〜７ｎには、波長多重光ではなく、単一の波長の光信号がそれぞれ入力されることになる。例えば波長λ１の光信号を例に取ると、補償用光増幅器７１における前段の光増幅器は、図２（ａ）に示すように入力信号パワーの変化に応じて利得が変化する。すなわち、入力信号パワーが低い場合、（Ｐｂ１（λ１））には、利得が高くなり（Ｇｂ１）、また入力信号パワーが高い場合（Ｐｂ２（λ１））には、利得が小さくなる（Ｇｂ２）。このように、補償用光増幅器７１における各増幅器は、その出力パワーが常に一定になるように作用する。
【００３６】
したがって、前段の光増幅器から後段の光増幅器に至るに連れて、図２（ｂ）に示すように、入力パワーの変化が次第に圧縮され、一定の出力パワーを得られるようになる。すなわち、チャネル数の増減により、伝送途中での各チャネルの信号パワーが変化しても、補償用光増幅器７１〜７ｎの出力段においては、常に一定の信号パワーを得ることが可能となる。また、光増幅器における利得変動の速度は、縦列に接続された（光増幅器の）台数が増えると共に速くなるので、補償用光増幅器７１〜７ｎ内の光増幅器の台数を増やすことによって、高速のパワー変動にも容易に対処することができるようになる。
【００３７】
これらのことから、伝送途中でのチャネル数変化時に生じる、光受信器Ｒ１〜Ｒｎへの入力パワーの変動が抑圧され、パワー変動に伴う伝送品質の劣化を防止することが可能となる。
【００３８】
（第２の実施の形態）
図３に、本発明の第２の実施形態に係わる波長多重光伝送システムの構成を示す。なお、図３において図１と同一の部分には同一の符号を付して示し、ここでも異なる部分についてのみ説明する。
【００３９】
すなわち、本実施形態における波長多重光伝送システムは、各波長ごとに、波長多重送信装置（符号を８とする）側に誤り訂正部９１〜９ｎを、また波長多重受信装置（符号を１１とする）側に誤り訂正部１０１〜１０ｎをそれぞれ備えたものとなっている。誤り訂正を行うための符号化方式としては、例えばリード・ソロモン符号などを使用する。
【００４０】
このように構成すると、補償用光増幅器７１〜７ｎを使用してもなお生じる瞬時誤りを訂正することが可能となる。すなわち、補償用光増幅器７１〜７ｎによる利得変動補償効果を補完することができるようになる。また、逆の見地に立てば、誤り訂正部９１〜９ｎ、１０１〜１０ｎの誤り訂正能力に応じて補償用光増幅器７１〜７ｎ内の光増幅器の台数を削減することが可能となる。これにより、システムの低コスト化を図れるようになる。
【００４１】
ここで、本発明を適用した波長多重光伝送システムの他の構成例を、図４に示す。図４のシステムは、波長λ１〜λｈの光信号を多重化して送信する波長多重送信装置１−１と、波長λｈ＋１〜λｎの光信号を多重化して送信する波長多重送信装置１−２とを備え、それぞれの波長多重送信装置１−１、１−２の出力光を中継伝送路部３−１、３−２（それぞれ光線形中継器Ｂ１〜Ｂｉ、Ｃ１〜Ｃｊを備える）で中継したのち光結合器１９で結合し、さらに中継伝送路部３−３（光線形中継器Ａ１〜Ａｋを備える）を介して波長多重受信装置６に伝送するものである。
【００４２】
このような構成において、一方の波長多重送信装置からの出力光が、装置故障やファイバの破断などによって消失した場合、中継伝送路部３−３に与えられる光パワーの総和が減少し、他方の波長多重送信装置からの出力光のパワー変動を招いてしまう。ところが、このような場合でも、波長多重受信装置６における補償用光増幅器７１〜７ｎの作用によって、光受信器Ｒ１〜Ｒｎに入力される各波長の光信号のパワーは一定に保たれるので、伝送品質の劣化を抑圧することが可能となる。同様に、消失した光信号が復旧した場合にも、波長多重受信装置６に達した段階ではパワー変動を生じるものの、光受信器Ｒ１〜Ｒｎに入力される段階では、各波長の光信号のパワーは一定に保たれ、伝送品質の劣化を抑圧できる。
【００４３】
（第３の実施形態）
次に、本発明の第３の実施形態に係わる光増幅器の構成を図５に示す。なお、図５において、図１２と同一部分には同一の符号を付して示す。図５において、制御回路１７の制御に応じて励起用ＬＤ（半導体レーザ）１６から出力された励起光は、反射型フィルタ２０を透過して増幅用ファイバ１４に導かれる。これにより、増幅用ファイバ１４は励起状態となる。
【００４４】
一方、光信号は、まず光サーキュレータ２１のポート１に入力され、ポート２から増幅用ファイバ１４に入射され増幅されて、反射型フィルタ２０に入力される。そして、特定波長の光信号のみが反射型フィルタ２０にて反射され、再び増幅用ファイバ１４で増幅されて、光サーキュレータ２１のポート２からポート３を介して出力される。
【００４５】
図６に、反射型フィルタの一例であるファイバブラッググレーティング（以下ＦＢＧと略す）の特性を示す。ＦＢＧでは、図６（ａ）に示すように、入射光が特定波長の反射光と、それ以外の波長の透過光とに分離される。この反射光の反射特性は、図６（ｂ）に示すようになり、グラフ中央の反射領域内の波長の光信号のみが反射され、この領域の外にある波長の光信号はそのほとんどが反射される。このようにＦＢＧは、誘電体多層膜フィルタなどの他の光フィルタに無い、以下の〈１〉〜〈４〉に示すような特徴を有している。
〈１〉反射領域と透過領域との境目が極めて急峻である。
〈２〉反射光と透過光とのクロストークが大きい。
〈３〉反射領域の帯域がフラットである。
〈４〉温度特性が良好である。
【００４６】
したがって、上記構成をとることで、所定の波長の光信号のみを出力できる光増幅器を提供することが可能となる。ここで、反射領域の帯域（Δλ）が狭くなればなるほど、波長の選択性が高くなる。現在では、０．４ｎｍ程度の帯域が可能となっている。また上記構成では、従来の光増幅器と比較して部品点数を削減できるので、小型化、低コスト化を図れ、また信頼性を向上させることも可能となる。更には、増幅用ファイバにて双方向増幅を行っているので、増幅利得を向上させることも可能となる。
【００４７】
次に、上記構成の光増幅器を使用した波長多重送信装置の構成を、図７に示す。すなわち本実施形態の波長多重送信装置は、光送信器Ｔ１〜Ｔｎからの出力光（波長λ１〜λｎ）を、それぞれ図５の構成の光増幅器Ｄ１〜Ｄｎを介して波長多重器２に導くものとなっている。ここで、各光増幅器Ｄ１〜Ｄｎにおける反射型フィルタの反射波長は、それぞれ接続された光送信器の出力光波長λ１〜λｎに設定される。
【００４８】
このように構成することで、いずれかの光送信器にて波長シフトが生じても、シフト途中の光信号は直後の光増幅器にてブロックされ、波長多重器２に入力されない。これにより、異なる光増幅器間での出力光同士の干渉をなくすることができるようになり、波長間のクロストークが保たれる。
【００４９】
したがって、光送信器の交換の際、新たに実装された光送信器の出力をモニタし、安定するまでの間はこの出力を断とし、安定後に断を解除するといった作業を行う必要も無くなる。これにより作業者の手間を省くことが可能となり、また、出力断回路１８を設ける必要が無くなるので、装置の低コスト可、シンプル化を図れるようになる。
【００５０】
なお、本発明は上記実施の形態に限定されるものではない。
例えば、図５の構成の光増幅器において、光サーキュレータ２１のポート３からの出力光を、適当なフィルタを介して出力するようにしても良い。このようにすると、雑音光、漏れ光などを防止することが可能となる。
その他、本発明の要旨を逸脱しない範囲で種々の変形実施を行うことができる。
【００５１】
【発明の効果】
以上詳述したように第１の本発明によれば、波長分離部にて分離された個々の単一波長の光信号を、それぞれ利得飽和状態の光増幅器を通すようにしたので、伝搬する光信号のチャネル数が変化しても、伝送品質の劣化を生じない波長多重光伝送システムおよび光受信装置を提供することが可能となる。
【００５２】
また第２の本発明によれば、光増幅器にフィルタ作用を持たせ、複数の光送信器からの出力光のうち、安定した光信号のみを増幅した上で多重するようにしたので、光送信器の波長シフトによる伝送品質の劣化を、手間やコストをかけずに抑圧することのできる光増幅器および光波長多重送信装置を提供することが可能となる。
【図面の簡単な説明】
【図１】  本発明の第１の実施形態に係わる波長多重光伝送システムの構成を示す図。
【図２】  光増幅器において、入力信号パワーの変化に応じて利得が変化する様子を示す図。
【図３】  本発明の第２の実施形態に係わる波長多重光伝送システムの構成を示す図。
【図４】  本発明を適用した波長多重光伝送システムの他の構成例を示す図。
【図５】  本発明の第３の実施形態に係わる光増幅器の構成を示す図。
【図６】  ファイバブラッググレーティングの特性を示す図。
【図７】  本発明の第３の実施形態に係わる波長多重送信装置の構成を示す図。
【図８】  従来の波長多重光伝送システムの構成を示す図。
【図９】  波長多重部２の構成を示す図。
【図１０】  波長分離部５の構成を示す図。
【図１１】  伝送チャネル数が変化したときの、信号パワーが変動する様子を示す図。
【図１２】  波長多重器２におけるブースターアンプとして使用される光増幅器の構成を示す図。
【図１３】  従来の波長多重光伝送システムにおいて、異なる光送信器の出力間でクロストークが生じる様子を示す図。
【符号の説明】
１（１−１、１−２）…波長多重送信装置
２（２−１、２−２）…波長多重部
３（３−１〜３−３）…中継伝送路部
４…従来の波長多重受信装置
５…波長分離部
６…本発明の第１の実施の形態に係わる波長多重受信装置
７１〜７ｎ…補償用光増幅器
Ｔ１〜Ｔｎ…光送信器
Ｒ１〜Ｒｎ…光受信器
Ａ１〜Ａｋ、Ｂ１〜Ｂｉ、Ｃ１〜Ｃｊ…光線形中継器
８…本発明の第２の実施の形態に係わる波長多重送信装置
９１〜９ｎ…誤り訂正部
１０１〜１０ｎ…誤り訂正部
１１…本発明の第２の実施の形態に係わる波長多重受信装置
１２、１５…光アイソレータ
１３…合波器
１４…増幅用ファイバ
１６…励起用ＬＤ（半導体レーザ）
１７…制御回路
１８…出力断回路
１９…光結合器
２０…反射型フィルタ
Ｄ１〜Ｄｎ…本発明の第３の実施形態に係わる光増幅器
【図１】
0003866421.tif 000002
【図２】
0003866421.tif 000003
【図３】
0003866421.tif 000004
【図４】
0003866421.tif 000005
【図５】
0003866421.tif 000006
【図６】
0003866421.tif 000007
【図７】
0003866421.tif 000008
【図８】
0003866421.tif 000009
【図９】
0003866421.tif 000010
【図１０】
0003866421.tif 000011
【図１１】
0003866421.tif 000012
【図１２】
0003866421.tif 000013
【図１３】
0003866421.tif 000014